(57)【要約】      （修正有）【課題】試験紙を直接手に持つことなく、不審物との間に安全な距離を保って試料を採取することが可能な爆薬探知具を提供する。【解決手段】試料を採取するための試験紙３０を保持し得る保持部１０と、該保持部１０が先端に取り外し可能に設けられる棒状部２０とを具備する。この爆薬探知具によれば、試料を採取するための試験紙３０を保持し得る保持部１０を備えるため、試料の採取時に試験紙３０を直接手に持つ必要がない。また、保持部１０が先端に設けられる棒状部２０を備えるため、不審物との間に安全な距離を保って試料を採取することが可能になる。さらに、保持部１０が棒状部２０から取り外し可能であるため、複数の試料を容易に採集できる。【選択図】図１
0003132024.tif 000002
【実用新案登録請求の範囲】
【請求項１】
試料を採取するための試験紙を保持し得る保持部と、該保持部が先端に取り外し可能に設けられる棒状部とを具備することを特徴とする爆薬探知具。
【請求項２】
前記保持部の先端が凸面であり、試料採取時には、不審物と前記凸面との間に前記試験紙を介在させることを特徴とする請求項１に記載の爆薬探知具。
【請求項３】
前記保持部が、前記棒状部に取り付けられる第１部材と、該第１部材に装着される第２部材とを有し、前記試験紙は、前記第１部材と前記第２部材との間に挟持されることにより、保持されることを特徴とする請求項１又は２に記載の爆薬探知具。
【請求項４】
前記第１部材の外周面に突起が設けられ、前記第２部材の内周面に溝が設けられ、前記突起が前記試験紙を介して前記溝に嵌り込むことにより、前記第２部材が前記第１部材に装着されるとともに、前記試験紙が保持されることを特徴とする請求項３に記載の爆薬探知具。
【請求項５】
前記棒状部が伸縮可能であることを特徴とする請求項１から４のいずれか１項に記載の爆薬探知具。
【考案の詳細な説明】
【技術分野】
【０００１】
本考案は、爆薬探知具に関するものである。
【背景技術】
【０００２】
従来、爆薬を含有すると疑われる試料を特定の試薬で処理することにより、該試料に含まれる爆薬を検出することができる爆薬検出キットが知られている（下記特許文献１参照）。かかる爆薬検出キットでは、試験紙を用いて試料を採取する。すなわち、不審物の表面を試験紙で拭うことにより、試験紙に付着した微粒子を試料として採取する。
【０００３】
しかしながら、従来の爆薬検出キットでは、試験紙を直接手に持って試料を採取しなければならないため、爆発するおそれのある不審物と試料を採取する者との距離が極めて短く非常に危険であった。
【０００４】
【特許文献１】特開平６−３１７５２９号公報
【考案の開示】
【考案が解決しようとする課題】
【０００５】
本考案が解決しようとする課題は、試験紙を直接手に持つことなく、不審物との間に安全な距離を保って試料を採取することが可能な爆薬探知具を提供することである。
【課題を解決するための手段】
【０００６】
本考案は、上記課題を解決するため、試料を採取するための試験紙を保持し得る保持部と、該保持部が先端に取り外し可能に設けられる棒状部とを具備することを特徴とする爆薬探知具を提供する。
【考案の効果】
【０００７】
本考案の爆薬探知具は、試料を採取するための試験紙を保持し得る保持部を備えるため、試料の採取時に試験紙を直接手に持つ必要がない。また、保持部が先端に設けられる棒状部を備えるため、不審物との間に安全な距離を保って試料を採取することが可能になる。さらに、保持部が棒状部から取り外し可能であるため、複数の試料を容易に採集できるという利点がある。
【考案を実施するための最良の形態】
【０００８】
以下、本考案の実施の形態を図面に示した実施例に従って説明する。
【実施例１】
【０００９】
図１は、本考案の実施例１に係る爆薬探知具を示す図である。この図に示したように、本実施例に係る爆薬探知具は、保持部１０及び棒状部２０を有して構成される。
【００１０】
保持部１０は、棒状部２０に取り付けられる第１部材１１と、第１部材１１に装着される第２部材１２とを有して構成される（図１及び図２参照）。
【００１１】
保持部１０の先端でもある第１部材１１の先端は、凸面１１ａであり、第１部材１１の外周面には、突起１１ｂが形成されている（図２及び図３参照）。第１部材１１の後端側は、その外径が先端側の外径より小さく、棒状部２０の先端面に開口する穴に挿入され、棒状部２０と結合する。第１部材１１は、保持部１０全体が棒状部２０から取り外しできるように、棒状部２０に対して着脱可能であることが好ましい。本実施例では、図２及び図３に示したように、第１部材１１に雄ねじ１１ｃを形成し、該雄ねじ１１ｃが嵌り込む雌ねじ（図示せず）を棒状部２０の先端面に開口する穴に形成して、第１部材１１と棒状部２０とを結合させているが、その結合手段は、何等限定されるものではない。
【００１２】
第２部材１２は、筒状に形成され、第２部材１２の内周面には、第１部材１１に形成された突起１１ｂが嵌り込む溝１２ａが設けられている（図２及び図３参照）。第２部材１２は、第１部材１１の突起１１ｂが試験紙３０を介して第２部材１２の溝１２ａに嵌り込むことにより、第１部材１１に装着され、それにより、試験紙３０は、第１部材１１と第２部材１２との間に挟持され、容易に脱落しないよう保持される（図２及び図３参照）。
【００１３】
棒状部２０は、伸縮可能なものであることが好ましい。本実施例では、直径が異なる複数のパイプ材同士を連結することによって棒状部２０が伸縮可能に構成されており、試料の採取時には、図１に示したように、棒状部２０を引き伸ばして使用することができる。ここで、本実施例に係る爆薬探知具によれば、試料を採取する者は、棒状部２０の後端側を把持して、棒状部２０の先端側を揺動させることにより、保持部１０に取り付けられた試験紙３０で不審物の表面を拭うことができる。したがって、上記のように、棒状部２０を伸長させることにより、不審物と試料採取者との間の距離が長くなるため、安全性を高めることができる。また、使用の前後には、図４に示したように、棒状部２０の長さを短くすることができるので、携帯や収納に便利である。なお、携帯又は収納の際に、棒状部２０から保持部１０を取り外してもよいことは勿論である。
【００１４】
上記のように構成される爆薬探知具によれば、試料を採取するための試験紙３０を保持し得る保持部１０を備えるため、試料の採取時に試験紙３０を直接手に持つ必要がない。また、保持部１０が先端に設けられる棒状部２０を備えるため、不審物との間に安全な距離を保って試料を採取することができる。また、保持部１０が棒状部２０から取り外し可能であるため、保持部１０を他の保持部と交換して試料を採取することができ、複数の試料の採集が容易にできる。また、保持部１０の先端が凸面１１ａであり、試料採取時には、不審物と凸面１１ａとの間に試験紙３０を介在させて試料を採取する構造であるため、不審物の表面を拭き取り易く、また、微粒子を試験紙３０により多く付着させることができる。さらに、第１部材１１の突起１１ｂが試験紙３０を介して第２部材１２の溝１２ａに嵌り込むことにより、第２部材１２が第１部材１１に装着されるとともに、試験紙３０が保持される構造であるため、保持部１０に対する試験紙３０の脱着が容易であり、また、試料採取時に、試験紙３０が保持部１０から脱落することを確実に防止できる。
【実施例２】
【００１５】
図５は、本考案の実施例２に係る爆薬探知具を構成する保持部１０を示す図である。この図に示したように、本実施例に係る爆薬探知具は、保持部１０が棒状部２０に取り付けられる第１部材１１と、第１部材１１に装着される第２部材１２とを有して構成される点で、実施例１に係る爆薬探知具と共通するが、図６に示したように、第２部材１２に形成された雄ねじ１２ｂが、試験紙３０を介して、第１部材１１に形成された雌ねじ１１ｄに結合することにより、第２部材１２が第１部材１１に装着される点で、実施例１に係る爆薬探知具と異なる。
【００１６】
上記のように構成される爆薬探知具によっても、実施例１に係る爆薬探知具と同様な効果を奏することができる。
【図面の簡単な説明】
【００１７】
【図１】本考案の実施例１に係る爆薬探知具を示す図である。
【図２】実施例１で採用した保持部の断面図である。
【図３】試験紙の取付方法を説明するための図である。
【図４】実施例１で採用した棒状部の長さを短くした状態を示す図である。
【図５】本考案の実施例２に係る爆薬探知具を構成する保持部を示す図である。
【図６】試験紙の取付方法を説明するための図である。
【符号の説明】
【００１８】
１０  保持部
１１  第１部材
１１ａ  凸面
１１ｂ  突起
１１ｃ  雄ねじ
１１ｄ  雌ねじ
１２  第２部材
１２ａ  溝
１２ｂ  雄ねじ
２０  棒状部
３０  試験紙
【図１】
0003132024.tif 000003
【図２】
0003132024.tif 000004
【図３】
0003132024.tif 000005
【図４】
0003132024.tif 000006
【図５】
0003132024.tif 000007
【図６】
0003132024.tif 000008